(57)【要約】【課題】  簡単な構造で表示像に動きを持たせることができ、斬新な見栄えを可能とした表示装置を提供する。【解決手段】回路基板３と、回路基板３に配置される複数の光源４と、光源４によって照明される装飾表示部５３を有する表示板５と、表示板５を保持するためのケース体６とを備え、装飾表示部５３は、少なくとも第１の透過部５３ａと第２の透過部５３ｂとからなる表示装置において、光源４は、第１の透過部５３ａと第２の透過部５３ｂの透過スペクトルと一致する発光スペクトルを有する第１の光源４ａと第２の光源４ｂとからなる。【選択図】  図２
2011100043.tif 000002
【特許請求の範囲】
【請求項１】
回路基板と、前記回路基板に配置される複数の光源と、前記光源によって照明される表示部を有する表示板と、前記表示板を保持するためのケース体とを備え、前記表示部は、少なくとも第１の透過部と第２の透過部とからなる表示装置において、
前記光源は、前記第１の透過部と第２の透過部の透過スペクトルと一致する発光スペクトルを有する第１の光源と第２の光源とからなることを特徴とする表示装置。
【請求項２】
前記ケース体は、前記第１及び第２の光源の発光波長のピーク値が近いときに、一方の前記光源からの光が他方の前記透過部を透過しないように遮光壁を備えたことを特徴とする請求項１に記載の表示装置。
【発明の詳細な説明】
【技術分野】
【０００１】
本発明は、表示装置に関するものであって、特に簡単な構造で表示像に動きを持たせることができ、斬新な見栄えを提供することを可能とした表示装置に関するものである。
【背景技術】
【０００２】
従来の表示装置は、特許文献１に記載されているように、印刷又はカット成形された複数の偏光領域を備えた偏光板の背後から光源を点灯させることで、ワーニングなどの表示に動きを持たせたアニメーション表示領域を備えた車両用表示装置などが知られている。この場合、光源の点灯だけではなく、駆動装置によって偏光板が回転することによって、アニメーション表示領域の透過率が循環的に変化するというものである。
【先行技術文献】
【特許文献】
【０００３】
【特許文献１】特開２００７−５１９３７号公報
【発明の概要】
【発明が解決しようとする課題】
【０００４】
しかしながら、このような表示装置は表示板の背後に偏光フィルムと偏光板と駆動装置と光源とを備えた構造であるため、部品数も多く複雑で、コストアップは免れないという問題点があった。
【課題を解決するための手段】
【０００５】
そこで本発明は、回路基板と、前記回路基板に配置される複数の光源と、前記光源によって照明される装飾表示部を有する表示板と、前記表示板を保持するためのケース体とを備え、前記装飾表示部は、少なくとも第１の透過部と第２の透過部とからなる表示装置において、
前記光源は、前記第１の透過部と第２の透過部の透過スペクトルと一致する発光スペクトルを有する第１の光源と第２の光源とからなるものである。
【０００６】
また本発明は、前記ケース体は、前記第１及び第２の光源の発光波長のピーク値が近いときに、一方の光源からの光が他方の光源からの光が透過する前記透過部を透過しないように遮光壁を備えたものである。
【発明の効果】
【０００７】
簡単な構造で表示像に動きを持たせることが可能な表示装置を提供する。
【図面の簡単な説明】
【０００８】
【図１】本発明における表示装置の第１の実施例を表す正面図。
【図２】図１のＡ−Ａ断面図。
【図３】同上の表示像の変化を表す図。
【図４】本発明における第２の実施例を表す断面図。
【発明を実施するための形態】
【０００９】
本発明を計器装置に適用した実施例を、添付図面を用いて説明する。
【００１０】
計器装置は、前面カバー１と、裏カバー２と、前面カバー１と裏カバー２との間に配置固定される回路基板３と、回路基板３上に実装される光源４と、表示板５と、表示板５を保持するケース材６とから主に構成される。
【００１１】
前面カバー１と裏カバー２は、合成樹脂などから形成されるものであって、前面カバー１は計器の前面に装着される透過性カバーであり、裏カバー２は例えば半透過性のカバーである。
【００１２】
回路基板３は、例えばガラスエポキシ基材に配線パターン（図示せず）を施した硬質の回路基板からなり、計器本体（図示せず）と光源４に電力供給を行う回路パターン（図示せず）を有する。
【００１３】
光源４は、回路基板３の前方側に配置された例えばチップ型発光ダイオードからなり、本実施形態では、表示板５を照明する表示板用光源（図示せず）と、後述する透過部を照明するために透過部の背後に配置された第１及び第２の光源４ａ、４ｂとから構成されている。
【００１４】
表示板５は、例えば透過性合成樹脂からなる薄板状基材にスクリーン印刷を施してなるものであり、表示板５には、指針５１の回動軌道に沿って指示対象となる目盛や文字、マークなどが環状に印刷された表示部５２を備えている。また、図１に示すように、本実施形態では２つの表示部５２の間であって、表示板５の中心部に透過部５３が形成されている。
【００１５】
透過部５３は、例えば表示板５にスクリーン印刷などで、円形のワーニングや意匠などを施したもので、本実施形態の場合は、図３に示すように２色の層からなる八等分された第１の透過部５３ａと第２の透過部５３ｂから構成される。
【００１６】
ケース体６は、例えば白色系の合成樹脂にてケース体状に形成されたもので、回路基板３と表示板５との間に配置され、表示板５を保持する。
【００１７】
次に、第１及び第２の光源４ａ、４ｂによる第１及び第２の透過部５３ａ、５３ｂの照明を説明する。
【００１８】
第１及び第２の光源４ａ、４ｂは、ＬＥＤ等を用いることができ、ＬＥＤの発光色は、例えばピーク波長が１００ｎｍ以上離れているか、もしくは補色関係にあることなどが望ましく、本実施形態においては、赤色ＬＥＤ（４ａ）と緑色ＬＥＤ（４ｂ）が用いられている。また透過部５３は、第１及び第２の光源４ａ、４ｂを順次切り換えて点灯することによって表示される。
【００１９】
この第１及び第２の光源４ａ、４ｂから出射される光は、それぞれ発光スペクトルが異なるため、ケース体内に隣接して配置されていても、それぞれの発光スペクトルと一致する透過スペクトルを持った第１及び第２の透過部５３ａ、５３ｂを透過する。
【００２０】
第１の透過部５３ａは、第１の光源４ａの発光スペクトルと同じ透過スペクトルであるため、第１の光源４ａからの光が表示板５方向に出射されると、その光は第１の透過部５３ａを透過するが、透過スペクトルが一致しない第２の透過部５３ｂを透過することはない。そのため、第１の透過部５３ａのみが視認可能なように照明される（図２のａ参照）。
【００２１】
第２の透過部５３ｂと第２の光源４ｂの関係も同様にしてなり、第２の光源４ｂの光は第２の透過部５３ｂを通過するが、第１の透過部５３ａを透過しない。そのため、第２の透過部５３ｂのみが視認可能なように照明される（図２のｂ参照）。
【００２２】
第２の実施形態として、図４に示す例は、第１及び第２の光源４ａ、４ｂの発光スペクトルが近い場合に、一方からの出射光が他方の透過部に到達しないように遮光壁６１を設けたものである。この場合、透過部用の光源（第１及び第２の光源）４ａ、４ｂは遮光壁６１で遮られた各部屋に１つずつ配置される。
【００２３】
このように、本発明は、回路基板３と、回路基板３に配置される複数の光源４と、光源４によって照明される透過部５３を有する表示板５と、表示板５を保持するためのケース体６とを備え、透過部５３は、少なくとも第１の透過部５３ａと第２の透過部５３ｂとからなる表示装置において、光源４は、第１の透過部５３ａと第２の透過部５３ｂの透過スペクトルと一致する発光スペクトルを有する第１の光源４ａと第２の光源４ｂとからなることによって、それぞれの透過部５３を透過できる光源４ａ、４ｂの色が決められるので、その２つの光源４ａ、４ｂを順次点灯させるだけで表示像が切り替わり、複雑な構造でなくても、表示像に動きを持たせることが可能な表示装置を提供することができる。
【００２４】
また本発明は、ケース体６は、第１及び第２の光源４ａ、４ｂの発光波長のピーク値が近いときに、一方の光源からの光が他方の透過部５３を透過しないように遮光壁６１を備えたことによって、第１の光源４ａと第２の光源４ｂとの波長ピーク値が近い場合、もしくは補色関係に無い場合などでも、遮光壁６１で他方の光の侵入を遮ることができ、第１の実施形態と同様な表示効果が得られる。
【００２５】
なお、本実施形態では透過部５３の意匠を、図３に示すように２色の層からなる八等分された第１の透過部５３ａと第２の透過部５３ｂから構成されるようにしたが、その形状はこれに限られることはなく、光源の点灯によって表示形態が変化するものであればその適用は自由である。
【符号の説明】
【００２６】
３      回路基板
４ａ    第１の光源
４ｂ    第２の光源
５      表示板
６      ケース体
５３    透過部（表示部）
５３ａ  第１の透過部
５３ｂ  第２の透過部
６１    遮光壁
【図１】
2011100043.tif 000003
【図２】
2011100043.tif 000004
【図３】
2011100043.tif 000005
【図４】
2011100043.tif 000006